(57)【要約】【課題】  高齢者であっても家庭で簡単にストレッチング運動を行なうことを可能とする。【解決手段】  本発明に係るストレッチングチェアは、座12及び背もたれ13を具えた椅子本体10と、座12又は背もたれ13に設置されたエアバッグ５と、エアバッグ５に対する給排気を行なう給排気装置とを具え、エアバッグ５は、給気により膨張してエアバッグ設置面から突出し、膨張状態にて、エアバッグ設置面に対する固定部を基準とする一定の範囲内で、エアバッグ設置面に沿う転動が可能である。【選択図】      図５
2005118308.tif 000002
【特許請求の範囲】
【請求項１】
座及び背もたれを具えた椅子本体と、座又は背もたれに設置されたエアバッグと、エアバッグに対する給排気を行なう給排気装置とを具え、エアバッグは、給気により膨張してエアバッグ設置面から突出し、膨張状態にて、エアバッグ設置面に対する固定部を基準とする一定の範囲内で、エアバッグ設置面に沿う転動が可能であることを特徴とするストレッチングチェア。
【請求項２】
座及び背もたれを具えた椅子本体と、座又は背もたれに設置されたエアバッグと、エアバッグに対する給排気を行なう給排気装置とを具え、エアバッグは、給気により膨張してエアバッグ設置面から突出し、膨張状態にて、エアバッグ設置面との対向面は、エアバッグ設置面に対する固定部を始点として、エアバッグ設置面に対して鋭角の傾斜角度で立ち上がっていることを特徴とするストレッチングチェア。
【請求項３】
座及び背もたれを具えた椅子本体と、座又は背もたれに設置されたエアバッグと、エアバッグに対する給排気を行なう給排気装置とを具え、エアバッグは、給気により膨張してエアバッグ設置面から突出し、エアバッグ設置面との対向面がエアバッグ設置面へ向かって突出する曲面形状を呈し、該曲面形状の頂部がエアバッグ設置面に対して固定されていることを特徴とするストレッチングチェア。
【請求項４】
前記曲面形状は、円筒面若しくは球面である請求項３に記載のストレッチングチェア。
【請求項５】
エアバッグ設置面にはエアバッグ収納室が凹設され、エアバッグは排気により収縮した状態で該エアバッグ収納室に収納される請求項１乃至請求項４の何れかに記載のストレッチングチェア。
【請求項６】
エアバッグは、収縮に伴ってエアバッグ収納室に収納される請求項５に記載のストレッチングチェア。
【請求項７】
椅子本体にはマッサージ機構が組み込まれている請求項１乃至請求項６の何れかに記載のストレッチングチェア。
【発明の詳細な説明】
【技術分野】
【０００１】
本発明は、座った姿勢でストレッチング運動を行なうことが出来るストレッチングチェアに関するものである。
【背景技術】
【０００２】
従来、座った姿勢でマッサージを受けることが出来るマッサージ機が普及しており、腕や脚などの被施療部に振動を与えるもの(特許文献１)、ローラによって揉みを加えるもの(特許文献２)、エアーバックによって挟圧力を加えるもの(特許文献３、４)が知られている。
この様なマッサージ機によれば、家庭で簡単にマッサージを行なうことが出来る。
【特許文献１】特開昭５６−８３３４９号公報
【特許文献２】特開平４−１３８１５８号公報
【特許文献３】特開平７−１２４２１３号公報
【特許文献４】特開平８−８９５４０号公報
【発明の開示】
【発明が解決しようとする課題】
【０００３】
ところで、体の歪みを矯正したり、筋肉トレーニングで堅くなった筋肉をほぐしたりするために、球状のバランスボールや円筒状のフォームローラを用いたストレッチング運動が知られている。
しかしながら、バランスボールやフォームローラを用いたストレッチング運動においては、バランスボールやフォームローラに体重をかけた状態で体を動かすことになるので、体が不安定となり易く、安定性を保ちながら運動を続けるには、ある程度の運動能力や熟練が必要であった。従って、高齢者などが家庭でバランスボールやフォームローラを用いて簡単にストレッチングを行なうことは困難であった。
【０００４】
そこで本発明の目的は、高齢者であっても家庭で簡単にストレッチング運動を行なうことを可能とすることである。
【課題を解決するための手段】
【０００５】
本発明に係るストレッチングチェアは、座及び背もたれを具えた椅子本体と、座又は背もたれに設置されたエアバッグと、エアバッグに対する給排気を行なう給排気装置とを具え、エアバッグは、給気により膨張してエアバッグ設置面から突出し、膨張状態にて、エアバッグ設置面に対する固定部を基準とする一定の範囲内で、エアバッグ設置面に沿う転動が可能である。
【０００６】
上記本発明のストレッチングチェアにおいて、膨張状態のエアバッグは、エアバッグ設置面に対する固定部を基準として一定の範囲内でのみ、エアバッグ設置面に沿って転動するに過ぎないので、ストレッチング運動においてエアバッグに体重をかけて体を動かしたとしても、体のバランスが大きく崩れることはない。又、座った姿勢で体を動かすので、体のバランスが多少崩れたとしても椅子本体によって体を支えることが出来、これによって姿勢を容易に回復することが出来る。
【０００７】
本発明のストレッチングチェアの具体的な構成において、エアバッグは、膨張状態にて、エアバッグ設置面との対向面が、エアバッグ設置面に対する固定部を始点として、エアバッグ設置面に対して鋭角の傾斜角度で立ち上がっている。
該構成によれば、エアバッグは、前記傾斜角度の範囲内で転動することが可能である。
【０００８】
又、本発明のストレッチングチェアの具体的構成において、エアバッグは、膨張状態にて、エアバッグ設置面との対向面がエアバッグ設置面へ向かって突出する曲面形状を呈し、該曲面形状の頂部がエアバッグ設置面に対して固定されている。
該構成によれば、エアバッグは、前記曲面形状の頂部を固定端として、曲面形状とエアバッグ設置面とが為す角度範囲で転動が可能である。
【０００９】
より具体的な構成において、エアバッグ設置面にはエアバッグ収納室が凹設され、エアバッグは排気により収縮した状態で該エアバッグ収納室に収納される。例えば、エアバッグは、収縮に伴ってエアバッグ収納室に収納される構造とすることが出来る。
該具体的構成によれば、非使用時にはエアバッグをエアバッグ収納室に収納することが出来るので、椅子に腰掛けたときにエアバッグが邪魔になることはない。
【００１０】
更に具体的な構成において、椅子本体にはマッサージ機構が組み込まれている。
該具体的構成によれば、マッサージ機構によるマッサージとエアバッグを用いたストレッチング運動とを連続して行なうことによって両者の相乗効果を得ることが出来る。
【発明の効果】
【００１１】
本発明に係るストレッチングチェアによれば、高齢者であっても家庭で簡単にストレッチング運動を行なうことが出来る。
【発明を実施するための最良の形態】
【００１２】
以下、本発明の実施形態につき、図面に沿って具体的に説明する。図１乃至図４は、本発明に係るストレッチングチェアの基本的な実施形態を表わしている。
図１に示すストレッチングチェアは、脚(11)、座(12)、背もたれ(13)及び左右一対の肘掛け(14)によって椅子本体(10)を構成しており、座(12)の表面には、やや扁平な楕円球のエアバッグ(２)が設置されている。
図２に示すストレッチングチェアにおいては、背もたれ(13)の表面に、背もたれ(13)の高さ方向に中心軸を有する円筒状のエアバッグ(３)が設置されている。
更に図３に示すストレッチングチェアにおいては、座(12)と背もたれ(13)の表面に、それぞれ水平方向に中心軸を有する複数の円筒状のエアバッグ(４)(41)(42)が設置されている。
【００１３】
上記何れのストレッチングチェアにおいても、エアバッグ(２)(３)(４)(41)(42)には給排気装置(図示省略)が繋がっており、給気によってエアバッグを膨張させ、或いは排気によってエアバッグを収縮させることが出来る。
【００１４】
例えば図１のストレッチングチェアにおいて、膨張状態のエアバッグ(２)は図４(ａ)に示す如くエアバッグ設置面(15)から突出している。この膨張状態にて、エアバッグ(２)は、エアバッグ設置面(15)との対向面がエアバッグ設置面(15)へ向かって突出する曲面形状を呈し、該曲面形状の頂部Ｆがエアバッグ設置面(15)に固定されており、該曲面形状は、エアバッグ設置面(15)に対する固定部Ｆを始点として、エアバッグ設置面(15)に対して鋭角の傾斜角度θで立ち上がっている。
従って、エアバッグ(２)は、前記傾斜角度θの範囲内で、エアバッグ設置面(15)に沿う転動が可能である。
【００１５】
ストレッチング運動を行なわんとする者が椅子本体(10)に座ると、エアバッグ(２)は体重の作用によって図４(ｂ)に実線で示す如く扁平な形状に変形し、この状態で体を矢印の方向に移動させると、エアバッグ(２)は鎖線で示す様にエアバッグ設置面(15)に沿って転動することになる。この様にして、体を前後左右に移動させながら、バランスボールを用いたストレッチング運動と同様のストレッチング運動を行なう。
この際、エアバッグ(２)は、エアバッグ設置面(15)に対する固定部Ｆを基準として一定の範囲内で転動するに過ぎないので、ストレッチング運動において体のバランスが大きく崩れることはない。又、体のバランスが多少崩れたとしても背もたれ(13)や肘掛け(14)によって体を支えることが出来るので、姿勢を容易に回復することが出来る。
【００１６】
尚、図２や図３に示すストレッチングチェアにおいても、図４(ａ)(ｂ)を用いて説明した作用効果と同等の作用効果が得られ、フォームローラを用いたストレッチング運動と同様のストレッチング運動を行なうことが出来る。
【００１７】
図５は、本発明のストレッチングチェアをマッサージ機(１)に実施した例を示している。
該マッサージ機(１)は、脚(11)、座(12)、背もたれ(13)及び左右一対の肘掛け(14)(14)からなる椅子本体(10)を具え、背もたれ(13)には、複数の揉み玉(６)からなる周知のマッサージ機構が組み込まれており、これらの揉み玉(６)は、背もたれ(13)に開設した左右一対の揉み玉臨出口(17)(17)から臨出し、振動しながら上下に往復移動することによって、人体にマッサージを施す。
【００１８】
又、背もたれ(13)には、両揉み玉臨出口(17)(17)の間に、エアバッグ収納室(16)が設けられており、該エアバッグ収納室(16)には、収縮状態のエアバッグ(５)が収納されている。該エアバッグ(３)は、給気によって鎖線の如く円筒状に膨張するものである。
【００１９】
図６は、図５のＡ−Ａ線に沿う断面図を表わしており、背もたれを構成しているフレーム(18)には、前述の左右一対の揉み玉臨出口(17)(17)が開設され、該揉み玉臨出口(17)から臨出する揉み玉(６)には駆動機構(61)が繋がっている。
又、両揉み玉臨出口(17)(17)に挟まれた中央フレーム部(18a)には、エアバッグ収納室(16)が凹設され、該エアバッグ収納室(16)に収縮状態のエアバッグ(５)が収納されている。
【００２０】
エアバッグ(５)は、高い弾性と伸縮性、並びに強度を有するブタジエンゴム等の合成ゴム製、或いは天然ゴム製であって、図７に示す様に、後方へ向かって円弧面状に膨らんだ厚肉部(51)と前方へ向かって円弧面状に膨らんだ薄肉部(52)とによって、断面が楕円状に成形され、両側には、左右一対のフランジ部(53)(53)が所定の後退角を持って突設され、各フランジ部(53)に貫通孔(54)が開設されている。
尚、エアバッグ(５)の表面は、布やウレタン等の伸縮性の高い材質からなるカバーによって覆うことにより、エアバッグ(５)を保護すると共に、人体の接触部分の感触を改善することが望ましい。
【００２１】
上記エアバッグ(５)は図８に示す如く中央フレーム部(18a)に固定される。即ち、中央フレーム部(18a)には左右一対のフランジ受け部(18b)(18b)が突設されており、エアバッグ(５)のフランジ部(53)(53)を中央フレーム部(18a)のフランジ受け部(18b)(18b)上に設置して、ボルト及びナットからなる締結具(19)によって、各フランジ部(53)を各フランジ受け部(18b)に固定する。
【００２２】
椅子本体(10)には、図９に示す給排気装置が内蔵され、エアバッグ(５)に接続されている。即ち、エアバッグ(５)には、給気管(７)を介してコンプレッサ(71)が接続され、該給気管(７)には、給気弁(72)が介在すると共に、排気弁(73)と圧力センサー(74)が接続されている。圧力センサー(74)から得られる圧力検出信号は制御装置(75)へ供給され、給気弁(72)及び排気弁(73)は、制御装置(75)から供給される制御信号によって後述の如く制御される。
【００２３】
エアバッグ(５)の非使用時には、給気弁(72)を閉じて排気弁(73)を開く。これによって、エアバッグ(５)内の圧力が低下して、エアバッグ(５)は、自身の弾性復元力によって図８に実線で示す如く収縮し、殆ど全体がエアバッグ収納室(16)に収納される。
従って、椅子本体(10)に座ってマッサージを受けるときにエアバッグ(５)が邪魔になることはない。
【００２４】
エアバッグ(５)を用いたストレッチング運動時には、図９に示すコンプレッサ(71)を起動すると共に、排気弁(73)を閉じて給気弁(72)を開く。そして、圧力センサー(74)からの圧力検出信号に基づいて、エアバッグ(５)内の圧力が所定値となるまでエアバッグ(５)に圧縮空気を供給する。
これによって、エアバッグ(５)は図８に鎖線で示す如く薄肉部(52)が円筒状に膨張することになる。
尚、椅子本体(10)に圧力センサーを取り付けて体重を検知すれば、体重に応じてエアバッグ(５)の内圧を調整することが出来る。又、例えば揉み玉(６)の移動によって体格を検知することにより、身長に応じてエアバッグ(５)の内圧を調整することも可能である。
【００２５】
上述のマッサージ機(１)によれば、椅子本体(10)に座った状態でエアバッグ(５)によるストレッチング運動を行なうことが出来るので、高齢者であっても家庭で簡単にストレッチング運動を行なうことが出来る。
又、エアバッグ(５)を用いたストレッチング運動を行なって、筋肉を十分にほぐした後に、揉み玉(６)によるマッサージを行なえば、ストレッチング運動を行なわない場合よりも血行が促進され、高いマッサージ効果を得ることが出来る。
【００２６】
尚、本発明の各部構成は上記実施の形態に限らず、特許請求の範囲に記載の技術的範囲内で種々の変形が可能である。例えば図１０に示す如く、真円球状のエアバッグ(８)や半円筒状のエアバッグ(９)を採用することも可能である。
【図面の簡単な説明】
【００２７】
【図１】本発明に係るストレッチングチェアの第１の形態を示す斜視図である。
【図２】本発明に係るストレッチングチェアの第２の形態を示す斜視図である。
【図３】本発明に係るストレッチングチェアの第３の形態を示す斜視図である。
【図４】エアバッグの断面形状及びその変化を説明する図である。
【図５】本発明に係るストレッチングチェアをマッサージ機に実施した例を示す斜視図である。
【図６】図５のＡ−Ａ線に沿う断面図である。
【図７】エアバッグの断面図である。
【図８】エアバッグの収縮状態と膨張状態を表わす断面図である。
【図９】給排気装置の構成を示す系統図である。
【図１０】エアバッグの他の形状を表わす図である。
【符号の説明】
【００２８】
(１)  マッサージ機
(10)  椅子本体
(12)  座
(13)  背もたれ
(15)  エアバッグ設置面
(16)  エアバッグ収納室
(２)  エアバッグ
(３)  エアバッグ
(４)  エアバッグ
(５)  エアバッグ
(51)  厚肉部
(52)  薄肉部
(53)  フランジ部
(６)  揉み玉
【図１】
2005118308.tif 000003
【図２】
2005118308.tif 000004
【図３】
2005118308.tif 000005
【図４】
2005118308.tif 000006
【図５】
2005118308.tif 000007
【図６】
2005118308.tif 000008
【図７】
2005118308.tif 000009
【図８】
2005118308.tif 000010
【図９】
2005118308.tif 000011
【図１０】
2005118308.tif 000012